(57)【要約】【課題】  従来の技術では、放電パルスの立ち上がり部では、パネルの発光電流特性に合せて、急速に立ち上げる必要があり、希望する改善効果については、立下り部しか改善出来ず、電力回収効率が低いという問題があった。【解決手段】  放電パルスの立ち上がりを、表示パネルの放電開始電圧に至るまでは、ゆっくり電圧を上昇させ、その後、放電開始電圧を過ぎてからは、急速に立ち上がるように、立ち上げを２段立ち上げにし、立下りでは１段でゆっくり立ち下げる。【選択図】  図1
2007025084.tif 000002
【特許請求の範囲】
【請求項１】
電極容量を有するプラズマディスプレイ表示装置において、
電力を供給する電力供給期間では、第１の電圧値のコンデンサからインダクタンス及びスイッチ回路を通じて前記電極容量の充電を開始し、所定期間経過後に第１の電圧値より高い第２の電圧値のコンデンサからインダクタンス及びスイッチ回路を通じて前記電極容量の充電を開始するように駆動する手段を備えたことを特徴としたプラズマディスプレイ表示装置。
【請求項２】
請求項１記載のプラズマディスプレイ表示装置において、
前記電力供給期間では、最初に接続されたインダクタンスとスイッチとからなる直列回路のインダクタンス値より２回目に接続されたインダクタンスとスイッチとからなる直列回路のインダクタンス値の方が小さいことを特徴としたプラズマディスプレイ表示装置。
【請求項３】
無効電力を回収する電力回収手段と、
維持放電のための放電電圧を供給する供給手段とを備え、
前記電力回収手段は、複数に分割されて接続されたコンデンサと、各コンデンサの接続点にスイッチおよびダイオードを介してそれぞれ接続された複数系統のコイルとからなり、
前記複数系統のコイルの中の低電位側のコイルのインダクタンス値が大きく、前記複数系統のコイルの中の高電位側のコイルのインダクタンス値が小さいことを特徴とするプラズマディスプレイ表示装置。
【請求項４】
プラズマディスプレイ表示装置を駆動する駆動方法であって、
放電パルスの立ち上がりを表示パネルの放電開始電圧に至るまでは第１の速度で電圧を上昇させ、その後、放電開始電圧を過ぎてからは前記第１の速度より早く電圧を上げ、
放電パルスの立ち下りでは、第１の速度とほぼ同様の速度で電圧を下げることを特徴とするプラズマディスプレイ表示装置の駆動方法。
【請求項５】
プラズマディスプレイ表示装置を駆動する駆動方法であって、
放電開始電圧に至るまで第１の速度で電圧を上昇させる第１の電圧印加ステップと、放電開始電圧を過ぎてからは前記第１の速度より早く電圧を上昇させる第２の印加ステップとを備えることを特徴とするプラズマディスプレイ表示装置の駆動方法。
【発明の詳細な説明】
【技術分野】
【０００１】
本発明は、交流放電プラズマ放電を利用して表示を行うプラズマディスプレイパネルを用いた表示装置の駆動方法に関する。
【背景技術】
【０００２】
プラズマディスプレイパネル（Plasma Display Panel:以下、「ＰＤＰ」と省略する）を用いた表示装置（以下、「プラズマディスプレイ表示装置」と称する）の消費電力は、主にＰＤＰの放電（維持放電：サスティン放電ともいう）に要する放電電力分と、ＰＤＰの電極間容量を駆動するのに要する無効電力分との和である。
【０００３】
無効電力分はＰＤＰの発光には寄与しないので、無効電力を低減する技術が種々提案されている。例えば特許文献１には、Ｌ，Ｃの直列共振回路を利用して無効電力を回収する技術が記載されている。
【０００４】
又、特許文献２には、無効電力回収期間にＬ，Ｃ共振回路のインダクタンスＬを大きくして回収期間を長くし、無効電力回収の回収効率を向上させる技術が記載されている。
【０００５】
【特許文献１】特公平７−１０９５４２号公報
【特許文献２】特開２００４−１０１７８８号公報
【発明の開示】
【発明が解決しようとする課題】
【０００６】
しかし、上記特許文献２においては、電力回収回路側からＰＤＰの電極間容量に電荷を供給する（エネルギーを供給する）期間では、パネルの発光電流特性に合せて、急速に立ち上げる必要が有り、従来と同様にＬ，Ｃ共振回路のインダクタンスＬを小さくしている。これでは、特許文献２の７頁段落番号〔００３５〕に記載があるように、電力回収回路の回収用コンデンサから電流供給時には電力回収効率が上がらない。なお、ここでいう電力回収効率とは、回収した電荷を効率よく供給できないという意味で、その結果電力回収効率が上がらないことになる。
【０００７】
以下、このときの効率を、ＰＤＰの電極間容量から電力を回収する期間での効率と混同しないために、便宜上「給電効率」と称するものとする。
【０００８】
本発明は、上記した事情に鑑みてなされたもので、その目的は、電力回収回路側からＰＤＰの電極間容量に電荷を供給する期間における、給電効率を向上できるプラズマディスプレイ表示装置及びプラズマディスプレイ表示装置の駆動方法を提供することにある。
【課題を解決するための手段】
【０００９】
放電パルスの立ち上がりを、表示パネルの放電開始電圧に至るまでは、ゆっくり電圧を上昇させ、その後、放電開始電圧を過ぎてからは、急速に上昇するよう、立ち上げを２段立ち上げにし、立下りでは、従来と同様に１段でゆっくり立ち下げる。
【発明の効果】
【００１０】
本発明によれば、給電効率を向上させる効果がある。
【発明を実施するための最良の形態】
【００１１】
以下、本発明を実現するための最良の形態について、具体的に図１，２を用いて説明する。
【実施例１】
【００１２】
図１は、本実施例を示すプラズマディスプレイ表示装置に係わるＰＤＰを駆動する出力回路とＰＤＰの無効電力を有効利用する電力回収回路の要部構成図で、図２は、維持放電期間（サスティン放電期間）における各部の動作を説明する電圧波形図である。
【００１３】
図１において、ＰＤＰ３００は走査電極（Ｙ電極ともいう）３１と共通電極（Ｘ電極ともいう）３２との間に電極間容量Ｃｐが形成されており、ＰＤＰ３００の走査電極３１側には、無効電力を回収する電力回収回路１００Ａと、ＰＤＰに維持放電（サスティン放電）のための放電電圧（サスティン電圧Ｖｓ）を供給する出力回路（駆動回路）２００Ａとが配置されている。そして、共通電極３２側にも同一構成の電力回収回路１００Ｂと出力回路２００Ｂとが配置されている。
【００１４】
なお、電力回収回路１００Ｂと出力回路２００Ｂとは電力回収回路１００Ａと出力回路２００Ａと同一構成なので、その構成と動作については、代表的に電力回収回路１００Ａと出力回路２００Ａを用いて説明し、以下の説明では疑義が生じない限り、添え字符号Ａ，Ｂを省略する。また、ＰＤＰ３００内の３１ａは走査電極端子、３２ｂは共通電極端子をそれぞれ示す。また、走査電極３１，共通電極３２や各回路の要素である各スイッチには損失抵抗があるが、図示を簡略化するために省略している。
【００１５】
出力回路２００は、サスティン電圧Ｖｓを有する電源（以下、「電源Ｖｓ」と称する）と、電源Ｖｓと接地電位であるグラウンド（以下、「ＧＮＤ」と記す）との間に配置されたスイッチＳ４，Ｓ５とからなり、スイッチＳ４とＳ５の接続点はＰＤＰ３００の走査電極端子３１ａに接続されている。そして、電力回収回路１００は、ＧＮＤと電源Ｖｓとの間で直列接続されたコンデンサＣ１，Ｃ２，Ｃ３，Ｃ４と、各コンデンサの接続点とＰＤＰ３００の走査電極端子３１ａとの間に挿入され、直列に接続された３系統のスイッチＳ１，ダイオードＤ１，コイルＬ１、スイッチＳ２，ダイオードＤ２，コイルＬ２およびスイッチＳ３，ダイオードＤ３，コイルＬ３とからなる。直列接続されたコンデンサＣ１，Ｃ２，Ｃ３，Ｃ４は回収コンデンサを構成しており、各コンデンサの容量値はＰＤＰ３００の電極間容量Ｃｐに対して十分大きく、ほぼ相等しい。従って、コンデンサＣ１の電位はほぼＶｓ／４、コンデンサＣ２とコンデンサＣ３との接続点の電位はほぼ２Ｖｓ／４、コンデンサＣ３とコンデンサＣ４との接続点の電位はほぼ３Ｖｓ／４となる。コイルＬ１とコイルＬ２は従来に比べてインダクタンス値が大きく、コイルＬ３は従来と同程度のインダクタンス値を有している。
【００１６】
このように、本実施例による電力回収回路１００は、複数に分割（ここでは４分割）されて直列接続された回収コンデンサと、各コンデンサの接続点にスイッチおよびダイオードを介してそれぞれ接続された複数系統（ここでは３系統）のコイルからなり、低電位側のコイル（ここではＬ１，Ｌ２）のインダクタンス値が大きく、高電位側のコイル（ここではＬ３）のインダクタンス値が小さいことに特徴がある。
【００１７】
以下、図１，図２を用いて、電力回収回路の動作について説明する。
【００１８】
直列接続されたコンデンサＣ１〜Ｃ４には、Ｖｓ電圧をコンデンサの容量でほぼ均等に分割した電圧が充電されている。この各充電電圧は、ＰＤＰ３００の放電開始電圧を考慮して決められている。
【００１９】
図２において、ＰＤＰ３００を走査電極側から駆動する場合は、まずｔ１期間では、始めにスイッチＳ５Ｂをオンさせて、ＰＤＰ３００の一方の電極端子（ここでは共通電極端子３２ｂ）をＧＮＤに接地する。その後、スイッチＳ１をオンさせ、ダイオードＤ１，コイルＬ１を通じて、コイルＬ１と電極間容量Ｃｐとの直列共振作用を利用し、コンデンサＣ１からＰＤＰ３００の電極間容量Ｃｐに電荷を供給する。すなわち、ＰＤＰ３００の走査電極端子３１ａの電圧がコンデンサＣ１の電圧にほぼ等しくなるまではコンデンサＣ１から供給し、その後、コイルＬ１の作用でコイルＬ１に蓄積されたエネルギーでさらに電荷を供給し続ける。その結果、コンデンサＣ１の電圧のほぼ２倍の電圧までＣｐは充電される。
【００２０】
例えば、放電開始電圧（Ｖｆ）が２５０Ｖであり、最適Ｖｓ電圧が１６０Ｖであるよう場合では、コンデンサＣ１電圧を４０Ｖ（Ｖｓ／４）に設定しておけば、ＰＤＰの点灯画素（点灯セル）のギャップ電圧は、コンデンサＣ１からの充電電圧（８０Ｖ）＋前放電で生じた壁電荷による壁電圧（１６０Ｖ）＝２４０Ｖとなり、放電を開始しない。なお、図２において、走査電極端子の電圧波形および共通電極端子の電圧波形を横断している一点鎖線が示す電圧レベルＶ３４は放電開始電圧から壁電圧を減算した電圧レベルであり、この電圧レベルを越えるとＰＤＰは維持放電を開始することになる。以下、この電圧レベルを放電開始対応電圧レベルＶ３４と称する。
【００２１】
このように、ＰＤＰ３００の放電特性に影響を与えない電圧上昇期間ｔ１を設け、この期間ではコイルＬ１の値を大きくして、すなわちＬＣ共振回路のＱ値を高めて、電極間容量Ｃｐを放電開始対応電圧レベルＶ３４に近い電圧まで従来と比べてゆっくりと立ち上げ、コンデンサＣ１から電極間容量Ｃｐへの電荷供給の効率（給電効率）を高め、結果として電力回収回路の効率を上昇させる。
【００２２】
次の放電開始対応電圧レベル以上で動作するｔ２期間では、ＰＤＰの発光に影響を及ぼす期間であり、走査電極端子３１ａの電圧が放電開始対応電圧レベルＶ３４を越えると維持放電を開始するので、安定に放電させるためには急速に電圧を立ち上げる必要がある。そこで、この期間では、高電位側のコンデンサＣ３とＣ４の接続点からコイルＬ１よりインダクタンス値の小さいコイルＬ３を介して電荷を供給する。ｔ２期間に入ると、この接続点に接続されるスイッチＳ３をオンしスイッチＳ１をオフする。コンデンサＣ３とコンデンサＣ４の接続点の電圧は１２０Ｖ（３Ｖｓ／４）に設定されており、ダイオードＤ３，コイルＬ３を通じて、既に電極間容量Ｃｐに蓄えられている電圧（８０Ｖ）との差分（４０Ｖ）だけ、コイルＬ３にエネルギーを蓄え、その後放出するため、やはり、２倍の８０Ｖ分上昇しようと動作する。コイルＬ３のインダクタンス値はコイルＬ１に比べて小さいので、走査電極端子３１ａの電圧の立ち上り特性を従来と同様に急峻にすることができ、ＰＤＰの放電特性に影響が出ないようにすることができる。なお、便宜上、上記t1とt2の期間を足した期間を「電力供給期間」と定義する。
【００２３】
ｔ３期間に入ると、スイッチＳ２１をオンしスイッチＳ３をオフして、電源Ｖｓから電力を引き続き供給して、維持放電を成長させる。
【００２４】
次に、電力を回収するｔ４期間では、スイッチＳ４をオフしてから、スイッチＳ２をオンして、電極間容量Ｃｐに１６０Ｖ分蓄えられていた電荷をコイルＬ２、ダイオードＤ２を通じて、コンデンサＣ２とコンデンサＣ３の接続点に回収する。この接続点の電圧を＋８０Ｖに設定しておけば、電極間容量Ｃｐに蓄積された電荷（１６０Ｖ）を原理的には０Ｖまで回収できる。この回収時の時間は、パネル放電とは無関係であり、コイルＬ１と同程度にインダクタンス値を大きくして、ＬＣ共振回路のＱを高めて、電極間容量Ｃｐを０Ｖに近い電圧までゆっくりと立ち下げ、電力の回収効率をあげる。
【００２５】
次に、ｔ５期間に入ると、スイッチＳ２とＳ５Ｂをオフする。これでＰＤＰ３００の走査電極側からの駆動が終了して、次の共通電極側からの駆動に移行していく。この動作も、走査電極側駆動と同じ動作であり、その説明を省略する。
【００２６】
以上述べたように、本発明によれば、回収コンデンサ側から回収した電荷をＰＤＰの電極間容量Ｃｐに供給する際、電極間容量Ｃｐとの間でエネルギーの授受を行うコイルＬのインダクタンスを複数段階（本実施例では２段階）に切り替える。すなわち、先ずインダクタンスを大きくしてＰＤＰ電極間容量Ｃｐを放電開始対応電圧レベルに近い電圧まで従来と比べてゆっくりと立ち上げ、電荷供給の効率（給電効率）を高め、結果として電力回収回路の効率を向上させることができる。続いてインダクタンスを小さくして従来と同様な急峻な立ち上げによりＰＤＰ３００の安定な維持放電を確保することができる。
【００２７】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題が解決でき、発明の効果の欄で述べられている効果が得られる場合には、この構成要件が削除された構成が発明となるのは言うまでもない。
【００２８】
また、上記実施形態は、プラズマディスプレイパネル内部に閉じる形態で実現してもよいし、プラズマディスプレイパネル内部に閉じない形態で実現しても良い。
【図面の簡単な説明】
【００２９】
【図１】一実施例に係わるＰＤＰの駆動回路図である。
【図２】図１の動作を説明する各部の電圧波形図である。
【符号の説明】
【００３０】
Ｃ１，Ｃ２，Ｃ３，Ｃ４…コンデンサ、Ｓ１，Ｓ２，Ｓ３，Ｓ４，Ｓ５…スイッチ、Ｄ１，Ｄ２，Ｄ３…ダイオード、Ｌ１，ｌ２，Ｌ３…コイル、Ｖｐ…電極間容量、Ｖ３４…放電開始対応電圧レベル、３１…走査電極、３２…共通電極、１００…電力回収回路、２００…出力回路、３００…ＰＤＰ、
【図１】
2007025084.tif 000003
【図２】
2007025084.tif 000004